(57)【特許請求の範囲】
【請求項１】
モータと、
前記モータにより駆動されて時間を計時するタイマ機構部と、
負荷への給電開始及び給電停止の時刻を前記タイマ機構部に対して設定する設定手段と、
外部電源と電気的に接続する外部電源接続端子及び前記負荷と電気的に接続する負荷接続端子を有する端子ブロックと、
前記外部電源接続端子から負荷接続端子への給電路を形成する導電体と、
前記導電体に電気的に接続されて前記給電路を開閉する開閉手段と、
前記設定手段で設定した給電開始時刻又は給電停止時刻と前記タイマ機構部で計時する現在時刻が一致したときに前記開閉手段を駆動させて前記給電路を閉極又は開極させるスイッチ機構部とが器体に収納されたタイムスイッチであって、
前記端子ブロックと、前記導電体と、前記開閉手段とをモジュールとし、そのモジュールを前記器体に取り付けることで、前記端子ブロック、前記導電体、前記開閉手段が一括して組み込まれて構成され、
前記モジュールは、前記モータ、及び、前記モータの駆動回路を実装した回路基板を併せて一体に構成したことを特徴とするタイムスイッチ。
【請求項２】
モータと、
前記モータにより駆動されて時間を計時するタイマ機構部と、
負荷への給電開始及び給電停止の時刻を前記タイマ機構部に対して設定する設定手段と、
外部電源と電気的に接続する外部電源接続端子及び前記負荷と電気的に接続する負荷接続端子を有する端子ブロックと、
前記外部電源接続端子から負荷接続端子への給電路を形成する導電体と、
前記導電体に電気的に接続されて前記給電路を開閉する開閉手段と、
前記設定手段で設定した給電開始時刻又は給電停止時刻と前記タイマ機構部で計時する現在時刻が一致したときに前記開閉手段を駆動させて前記給電路を閉極又は開極させるスイッチ機構部とが器体に収納されたタイムスイッチであって、
前記端子ブロックと、前記導電体と、前記開閉手段とをモジュールとし、そのモジュールを前記器体に取り付けることで、前記端子ブロック、前記導電体、前記開閉手段が一括して組み込まれて構成され、
前記給電路を形成する導電体は、外部電源側の給電路を形成する電源側リード線と負荷側の給電路を形成する負荷側リード線とからなり、
前記給電路を開閉する開閉手段は、前記電源側リード線と電気的に接続された電源側接点バネと前記負荷側リード線と電気的に接続された負荷側接点バネとからなり、
前記電源側接点バネ及び前記負荷側接点バネは、前記設定手段で設定した給電開始時刻又は給電停止時刻と前記タイマ機構部で計時する現在時刻が一致したときに前記スイッチ機構部にて駆動され、前記電源側接点バネ及び前記負荷側接点バネにそれぞれ設けた接点を接離させて前記給電路を閉極又は開極させることを特徴とするタイムスイッチ。
【請求項３】
請求項１又は２に記載のタイムスイッチにおいて、
前記モータは、クォーツモータであって、前記器体にはクォーツモータの電源を供給する電池を有することを特徴とするタイムスイッチ。
【請求項４】
請求項１〜３のいずれか１項に記載のタイムスイッチにおいて、
前記設定手段は、前記タイマ機構部の計時動作に基づいて回動するダイヤルと、前記ダイヤルに周囲に着脱自在に取り付けられ、スイッチ機構部を作動させる設定子であることを特徴とするタイムスイッチ。
【発明の詳細な説明】
【技術分野】
【０００１】
本発明は、タイムスイッチに関するものである。
【背景技術】
【０００２】
従来、タイムスイッチには、その１つとしてモータ式タイムスイッチが知られている（特許文献１）。モータ式タイムスイッチは、モータの回転を、輪列装置（タイマ機構部）を介してダイヤルに伝達し、該ダイヤルを、例えば２４時間で１回転するように回転駆動させている。２４時間で１回転するダイヤルには、その前面に１日の各時刻を示す時刻目盛りが周方向に表示されている。そして、該ダイヤルに対して設定子を、所望する設定時刻と一致する時刻目盛りの位置に合わせてダイヤルの外周部に取着し、該設定子をダイヤルの回転とともに連れ回り（周回）させる。
【０００３】
やがて、周回する設定子で設定した設定時刻とタイマ機構部で計時する現在時刻が一致すると同時に該設定子に形成した爪片にてスイッチ機構部を作動させる。そして、設定子の爪片にて作動したスイッチ機構部は、給電路（導電体）を開閉する接点バネを駆動して該給電路の閉極又は開極する。
【０００４】
これによって、モータ式タイムスイッチは、負荷（電気機器）に対して所望の設定時刻に商用電源の給電を入切するようにしている。
【先行技術文献】
【特許文献】
【０００５】
【特許文献１】実開昭６２−１２６０４３号公報
【発明の概要】
【発明が解決しようとする課題】
【０００６】
ところで、従来のモータ式タイムスイッチでは、器体内に、モータ、タイマ機構部、ダイヤル、給電路、接点バネ、スイッチ機構部等を順番に収納しながら組み付けて製造する。従って、器体内の限られた狭い空間において各種の部品を個々に組み付けていかなければならないことから、細かい組立作業となり、非常に面倒かつ時間を要する組立作業であった。特に、半田付け作業による組立作業は非常に労力を必要としていた。
【０００７】
また、器体内に各種の部品を個々に組み付けていかなければならないことから、組立工数が多く、しかも、各組立工程においける部品数が多いことから、組立部品の品種を管理すること難しかった。
【０００８】
しかも、組立工数が多いことに起因して、各組立工程において発生するゴミ、ホコリ、半田クズ等の異物が器体内に残ってしまいそれらが累積する虞もあった。
本発明は、上記問題を解決するためになされたものであり、その目的は、組立を簡素化でき、組立部品の品種管理を容易にすることができるタイムスイッチを提供することにある。
【課題を解決するための手段】
【０００９】
上記課題を解決するために、タイムスイッチは、モータと、前記モータにより駆動されて時間を計時するタイマ機構部と、負荷への給電開始及び給電停止の時刻を前記タイマ機構部に対して設定する設定手段と、外部電源と電気的に接続する外部電源接続端子及び前記負荷と電気的に接続する負荷接続端子を有する端子ブロックと、前記外部電源接続端子から負荷接続端子への給電路を形成する導電体と、前記導電体に電気的に接続されて前記給電路を開閉する開閉手段と、前記設定手段で設定した給電開始時刻又は給電停止時刻と前記タイマ機構部で計時する現在時刻が一致したときに前記開閉手段を駆動させて前記給電路を閉極又は開極させるスイッチ機構部とが器体に収納されたタイムスイッチであって、前記端子ブロックと、前記導電体と、前記開閉手段とをモジュールとし、そのモジュールを前記器体に取り付けることで、前記端子ブロック、前記導電体、前記開閉手段が一括して組み込まれて構成されることを特徴とする。
【発明の効果】
【００１０】
本発明によれば、組立を簡素化できるとともに、組立部品の品種管理を容易にすることができる。
【図面の簡単な説明】
【００１１】
【図１】保護カバーを外したタイムスイッチの正面図。
【図２】保護カバー及び前蓋を外したタイムスイッチの正面図。
【図３】保護カバー及び前蓋を外したタイムスイッチの斜視図。
【図４】保護カバーを外したタイムスイッチの底面図。
【図５】タイムスイッチの左側断面図。
【図６】歯車機構と負荷側及び電源側接点バネの配置を説明する説明図。
【図７】裏蓋を外したタイムスイッチの背面図。
【図８】オン用設定子の斜視図。
【図９】オフ用設定子の斜視図。
【図１０】モジュールの正面図。
【図１１】モジュールの一部破断した側面図。
【発明を実施するための形態】
【００１２】
（第１実施形態）
以下、タイムスイッチを図１〜図１１に従って説明する。
図１〜図５に示すように、タイムスイッチ１は、略四角箱状の器体２を有している。器体２は、後側が開口したケース３と、該ケース３の後側開口部４を閉塞する裏蓋５（図５参照）とから構成されている。
【００１３】
また、図２及び図３に示すように、ケース３の前面ｆ１の下側であってその幅方向（図２において左右方向）には、ケース３の内側と連通する開口部をそれぞれ有する４個の第１〜第４凹部６ａ〜６ｄが形成されている。第１〜第４凹部６ａ〜６ｄは、ケース３の前面ｆ１及びケース３の下面ｆ２の一部を凹状に切り欠くことによって形成されている。また、第１凹部６ａと第２凹部６ｂとの間は第１仕切壁７ａにて仕切られ、第３凹部６ｃと第４凹部６ｄとの間は第２仕切壁７ｂにて仕切られている。さらに、第２凹部６ｂと第３凹部６ｃとの間は、第３仕切壁７ｃにて仕切られている。
【００１４】
そして、図５に示すように、第１〜第４凹部６ａ〜６ｄは、前蓋９にて閉塞されている。前蓋９は、その前面がケース３の前面ｆ１と同一平面となるように第３仕切壁７ｃに対して取付ネジＮ１にて固定されている。この時、図４に示すように、ケース３の下面ｆ２であって第１〜第４凹部６ａ〜６ｄは、前蓋９にて一部開口した状態に閉塞される。これによって、第１〜第４凹部６ａ〜６ｄに対応するケース３の下面ｆ２に配線挿入口１０が形成される。
【００１５】
（ダイヤルＤ：タイマ機構部２０）
前蓋９を含むケース３の前側には、透明の保護カバー１１（図５参照）が着脱自在に取着され、該保護カバー１１を介してケース３の前面ｆ１に配置したダイヤルＤが視認できるようになっている。ケース３の前面ｆ１には、円形状であってダイヤルＤの外径よりも大きい内径のダイヤル収容凹部１２が凹設され、その収容凹部１２内にダイヤルＤが回動自在に収容されている。
【００１６】
図５に示すように、ダイヤルＤは、前側が閉塞された２重円筒状に形成されたダイヤル本体Ｄａと、該ダイヤル本体Ｄａの外周面を一定の間隔で囲む環状の取付環状体Ｄｂを有している。ダイヤル本体Ｄａと取付環状体Ｄｂは、互いにその後端外周部が連結されていて、これらは合成樹脂にて一体に形成されている。従って、ダイヤル本体Ｄａと取付環状体Ｄｂは、一体に回転する。
【００１７】
２重円筒状に形成されたダイヤル本体Ｄａは、その環状の前側面に、１日２４時間の各時刻を示す時刻目盛り（図示せず）が周方向に等間隔に表示されている。
図５に示すように、ダイヤル本体Ｄａの内側には、その開口部を閉塞するとともに、ダイヤル本体Ｄａの環状の前側面と一部重なるように、円板状の時刻指標板１３が配置されている。時刻指標板１３は、ダイヤル収容凹部１２の底面から延びる支持部材１４にて支持固定されていて、その前面には、現在時刻を指し示す現在時刻指標１３ａが表示されている。従って、ダイヤルＤは、時刻指標板１３の中心を回動中心として回動自在にダイヤル収容凹部１２内に収容されている。
【００１８】
なお、図３に示すように、ダイヤル収容凹部１２の内周面であって、時刻指標板１３に表示された現在時刻指標１３ａが指し示す方向の部分には、窓孔１２ａが貫通形成されている。そして、その窓孔１２ａからダイヤル収容凹部１２内に、後述するスイッチ機構部７１の第１及び第２検出カム７３，７４が進入及び退出するようになっている。
【００１９】
取付環状体Ｄｂは、その内外周面に一対の取付溝１５が周方向に等間隔に設けられている。なお、取付溝１５であって取付環状体Ｄｂの内周面側の部分を内側溝部１５ａとするともに、取付環状体Ｄｂの外周面側の部分を外側溝部１５ｂとする。本実施形態では、周方向に等間隔に形成された各取付溝１５は、ダイヤル本体Ｄａの環状の前側面に表示した１日２４時間の各時刻を示す時刻目盛り（図示せず）に対応してそれら時刻の１５分刻みの位置に形成されている。従って、取付溝１５は、９６個の形成されていて、その９６個の取付溝１５が等ピッチの形成されている。
【００２０】
そして、ダイヤル本体Ｄａと取付環状体ＤｂとからなるダイヤルＤは、ケース３内に設けた該ダイヤルＤとともにタイマ機構部２０を構成する歯車機構２１にて、ダイヤル収容凹部１２を２４時間で１回転するように回転駆動されるようになっている。
【００２１】
従って、ダイヤルＤを時刻指標板１３に示す矢印方向に回動操作する。そして、現在時刻に相当するダイヤル本体Ｄａの表示した時刻目盛りを、時刻指標板１３の現在時刻指標１３ａに合わせることで、現在時刻が設定される。以後、ダイヤル本体Ｄａの表示した時刻目盛りが時刻指標板１３の現在時刻指標１３ａの径方向外側を周方向に通過して行く時、その時々で現在時刻指標１３ａが指し示すダイヤル本体Ｄａの時刻目盛りが現在時刻となる。
【００２２】
（歯車機構２１：タイマ機構部２０）
図６に示すように、ケース３の内底面ｆ３であってダイヤル収容凹部１２の底面と対応する位置には、第１区画壁Ｗ１にて収納空間Ｓ１が区画形成されている。また、図７に示すように、第１区画壁Ｗ１にて区画形成された収納空間Ｓ１は、交流モータよりなるモータＭを実装した地板２３にて閉塞されるようになっている。
【００２３】
そして、図６に示すように、地板２３にて閉塞された収納空間Ｓ１内に、歯車機構２１が配置され組み付けられる。歯車機構２１は、モータＭの回転に基づいてダイヤルＤ（ダイヤル本体Ｄａ）を２４時間で１回転させる。
【００２４】
歯車機構２１は、複数の歯車で構成された公知の輪列装置ある。そのため、本実施形態では、歯車機構２１の歯車の構成、及び、モータＭとダイヤル本体Ｄａとの連結構造の詳細は省略する。そして、この歯車機構２１の各歯車は、モータＭと地板２３を介して収納空間Ｓ１に配置され、ケース３の内底面ｆ３と地板２３に対して組み付けられている。
【００２５】
（オン用及びオフ用設定子３０，４０：設定手段）
図１〜図３に示すように、ダイヤルＤの取付環状体Ｄｂに等間隔（１５分刻み）に形成した各取付溝１５には、オン用設定子３０及びオフ用設定子４０が択一的に装着されている。オン用設定子３０は負荷（電気機器）に商用電源を供給するための時刻を設定する設定子であり、オフ用設定子４０は負荷（電気機器）に供給している商用電源を遮断するための時刻を設定する設定子である。
【００２６】
（オン用設定子３０）
図８に示すように、オン用設定子３０は、先端が三角形状である指示片３１と、該指示片３１の一側面（下面）から平行に突出する一対の内側脚片３２と外側脚片３３が合成樹脂にて一体成形されている。そして、指示片３１の上面には、摘み部３４が設けられ、その摘み部３４の上面にはオン用設定子３０を示すマーク３５が刻設されている。また、内側脚片３２であって外側脚片３３と相対向する面には、内側突条３６が長手方向に形成されている。さらに、外側脚片３３であって内側脚片３２と相対向する面には、外側突条３７が長手方向に形成されているとともに、その外側突条３７の先端部分には抜け止め突起３８が突出形成されている。さらにまた、外側脚片３３であって内側脚片３２と相対向した面と反対側の面の略中間位置には、オン用作動爪３９が突出形成されている。
【００２７】
そして、オン用設定子３０は、摘み部３４を摘んで、指示片３１が三角形状の先端がダイヤル本体Ｄａ側に向くように、内側突条３６が取付溝１５の内側溝部１５ａに、外側突条３７が取付溝１５の外側溝部１５ｂに嵌合するように取付環状体Ｄｂに装着される。このとき、外側脚片３３の先端部分に形成した抜け止め突起３８によって、外側脚片３３は径方向外側に若干撓んで装着される。そして、抜け止め突起３８が取付環状体Ｄｂの外周エッジに達すると、外側脚片３３は弾性復帰して該抜け止め突起３８が取付環状体Ｄｂの背面に係合する。
【００２８】
オン用設定子３０は、指示片３１の三角形状の先端がダイヤル本体Ｄａの表示した時刻目盛りであって負荷（電気機器）に対して商用電源を供給する開始時刻に相当する時刻目盛りを指し示す位置の取付溝１５に装着される。
【００２９】
従って、取付溝１５に装着されたオン用設定子３０は、ダイヤルＤとともに連れ回り（周回）する。やがて、オン用設定子３０が指し示したダイヤル本体Ｄａの時刻目盛り（給電開始時刻）と現在時刻とが一致する。つまり、オン用設定子３０が指し示したダイヤル本体Ｄａの時刻目盛りと時刻指標板１３の現在時刻指標１３ａとが合わさる。すると、外側脚片３３に突出形成したオン用作動爪３９の作用によりスイッチ機構部７１（ダイヤル収容凹部１２の窓孔１２ａから同凹部１２内に進入している後述する第１検出カム７３）が作動して負荷に対して商用電源の給電を開始するようになっている。
【００３０】
（オフ用設定子４０）
図９に示すように、オフ用設定子４０は、先端が三角形状である指示片４１と、該指示片４１の一側面（下面）から平行に突出する一対の内側脚片４２と外側脚片４３が合成樹脂にて一体成形されている。そして、指示片４１の上面には、摘み部４４が設けられ、その摘み部４４の上面にはオフ用設定子４０を示すマーク４５が刻設されている。また、内側脚片４２であって外側脚片４３と相対向する面には、内側突条４６が長手方向に形成されている。さらに、外側脚片４３であって内側脚片４２と相対向する面には、外側突条４７が長手方向に形成されているとともに、その外側突条４７の先端部分には抜け止め突起４８が突出形成されている。さらにまた、外側脚片４３であって内側脚片４２と相対向した面と反対側の面の先端位置には、オフ用作動爪４９が突出形成されている。
【００３１】
そして、オフ用設定子４０は、摘み部４４を摘んで、指示片４１が三角形状の先端をダイヤル本体Ｄａ側に向けて、内側突条４６が取付溝１５の内側溝部１５ａに、外側突条４７が取付溝１５の外側溝部１５ｂに嵌合するように取付環状体Ｄｂに装着される。このとき、外側脚片４３の先端部分に形成した抜け止め突起４８によって、外側脚片４３は径方向外側に若干撓んで装着される。そして、抜け止め突起４８が取付環状体Ｄｂの外周エッジに達すると、外側脚片４３は弾性復帰して該抜け止め突起４８が取付環状体Ｄｂの背面に係合する。
【００３２】
オフ用設定子４０は、指示片４１の三角形状の先端がダイヤル本体Ｄａの表示した時刻目盛りであって負荷に対して商用電源の給電を停止する時刻に相当する時刻目盛りを指し示す位置の取付溝１５に装着される。
【００３３】
従って、取付溝１５に装着されたオフ用設定子４０は、ダイヤルＤとともに連れ回り（周回）する。やがて、オフ用設定子４０が指し示したダイヤル本体Ｄａの時刻目盛り（給電停止時刻）と現在時刻とが一致する。つまり、オフ用設定子４０が指し示したダイヤル本体Ｄａの時刻目盛りと時刻指標板１３の現在時刻指標１３ａとが合わさる。すると、外側脚片４３に突出形成したオフ用作動爪４９の作用によりスイッチ機構部７１（ダイヤル収容凹部１２の窓孔１２ａから同凹部１２内に進入している後述する第２検出カム７４）が作動して負荷に対して商用電源の給電を停止する。
【００３４】
（端子ブロックＢ）
図２及び図３に示すように、ケース３に形成した第１〜第４凹部６ａ〜６ｄと裏蓋５との間に形成される空間には、第１〜第４凹部６ａ〜６ｄの各開口部を閉塞する端子ブロックＢが配置されている。図６に示すように、端子ブロックＢは、合成樹脂製であって、幅方向（左右方向）に長い四角柱状をなし、ケース３の内側から第１〜第４凹部６ａ〜６ｄの開口部を閉塞するように配置固定されている。
【００３５】
図６に示すように、端子ブロックＢは、幅方向の中間位置に貫通孔５１が形成されている。端子ブロックＢは、図５に示すように、該貫通孔５１に第３仕切壁７ｃの後面（裏蓋５側の面）に突出形成した支持体５２を貫挿させ、かつ、左右両側をネジＮ２にてケース３に対して組み付け固定される。
【００３６】
（端子金具５３：外部電源及び負荷接続端子）
図２及び図３に示すように、端子ブロックＢには、４個の端子金具５３が該端子ブロックＢに対して連結ネジＮ３にて締着自在に取着されている。４個の端子金具５３は、端子ブロックＢがケース３に組み付け固定されるとき、その基端部がそれぞれ対応する第１〜第４凹部６ａ〜６ｄ内に配置される位置に締着自在に取着されている。そして、４個の端子金具５３は、連結ネジＮ３にて締着されたとき、図６及び図７に示すように、その基端部を除く先端部分がケース３内に配置される。
【００３７】
ここで、説明の便宜上、４個の端子金具５３について、図２において、左側から第１電源側接続端子５３ａ、第２電源側接続端子５３ｂ、第２負荷側接続端子５３ｃ、第１負荷側接続端子５３ｄという。従って、反対にケース３の背面側から見ると、図６及び図７において、右側から第１電源側接続端子５３ａ、第２電源側接続端子５３ｂ、第２負荷側接続端子５３ｃ、第１負荷側接続端子５３ｄとなる。
【００３８】
第１電源側接続端子５３ａの基端部は、商用電源を給電する外部電源線（図示せず）の一方の配線と連結ネジＮ３にて締着されて電気的に接続される。また、第２電源側接続端子５３ｂの基端部は、商用電源を給電する外部電源線の他方の配線と連結ネジＮ３にて締着されて電気的に接続される。
【００３９】
一方、第１負荷側接続端子５３ｄの基端部は、負荷（電気機器）に商用電源を給電する負荷電源線（図示せず）の一方の配線と連結ネジＮ３にて締着されて電気的に接続される。また、第２負荷側接続端子５３ｃの基端部は、負荷（電気機器）に商用電源を給電する電源線の他方の配線と連結ネジＮ３にて締着されて電気的に接続される。
【００４０】
そして、第１及び第２電源側接続端子５３ａ，５３ｂの基端部と締着される商用電源を給電する負荷電源線の各配線は、第１及び第２凹部６ａ，６ｂに対応するケース３の下面ｆ２に形成された配線挿入口１０から引き出される。同様に、第１及び第２負荷側接続端子５３ｄ，５３ｃの基端部と締着される負荷（電気機器）に商用電源を給電する負荷電源線の各配線は、第３及び第４凹部６ｃ，６ｄに対応するケース３の下面ｆ２に形成された配線挿入口１０から引き出される。
【００４１】
図７に示すように、第１電源側接続端子５３ａは、その先端部が前記地板２３に実装したモータＭの一方の入力端子Ｐ１と接続する導線５５が接続されている。また、第２電源側接続端子５３ｂは、その先端部がモータＭの駆動回路の回路素子を実装した回路基板５６に設けた入力端子と半田にて電気的に接続されている。そして、駆動回路の回路素子を実装した回路基板５６は、該回路基板５６に設けた出力端子が抵抗素子５７を介してモータＭの他方の入力端子Ｐ２と接続されている。
【００４２】
つまり、回路基板５６に実装された駆動回路は、外部電源線から給電される商用電源にてモータＭを駆動するための駆動信号に生成する。そして、モータＭは、その生成した駆動信号にて駆動されることになる。
【００４３】
（負荷側及び電源側接点バネ６３，６４：開閉手段）
図６に示すように、ケース３の内底面であって第１区画壁Ｗ１にて区画形成された収納空間Ｓ１の左側には、板バネ挟持体６１がケース３の内底面ｆ３から突出形成されている。板バネ挟持体６１には、左右対称のクランク状の屈曲溝６２が形成されている。図６において、左側の屈曲溝６２には、負荷側接点バネ６３が圧入固定され、右側の屈曲溝６２には、電源側接点バネ６４が圧入固定されている。
【００４４】
図６に示すように、負荷側及び電源側接点バネ６３，６４は、共に帯状の金属板であって、基端部がクランク状に折り曲げて形成されている。そして、負荷側及び電源側接点バネ６３，６４は、その幅広面がケース３の内底面に対して直交するように配置される。このとき、負荷側及び電源側接点バネ６３，６４は、その折曲部を板バネ挟持体６１にクランク状に形成したそれぞれの屈曲溝６２に圧入されることでケース３の内底面ｆ３に対して固定されている。
【００４５】
屈曲溝６２に圧入固定された負荷側及び電源側接点バネ６３，６４の基端部は、それぞれの屈曲溝６２から端子ブロックＢ側に露出し、その露出部分に、負荷側及び電源側リード線６５，６６と半田にてそれぞれ連結されている。そして、負荷側接点バネ６３の基端露出部分と半田にて連結された負荷側リード線６５の他端は、第１負荷側接続端子５３ｄの先端部と半田にて連結されている。一方、電源側接点バネ６４の基端露出部分と半田にて連結された電源側リード線６６の他端は、第１電源側接続端子５３ａの先端部と半田にて連結されている。
【００４６】
従って、負荷側接点バネ６３と第１負荷側接続端子５３ｄは、負荷側リード線６５を介して電気的に接続されている。同様に、電源側接点バネ６４と第１電源側接続端子５３ａは、電源側リード線６６を介して電気的に接続されている。
【００４７】
図６及び図７に示すように、第２電源側接続端子５３ｂの先端部と第２負荷側接続端子５３ｃの先端部には、短絡導線６７を介して電気的に接続されている。つまり、短絡導線６７の両端部は、第２電源側接続端子５３ｂの先端部と第２負荷側接続端子５３ｃの先端部とがそれぞれ半田にて連結されている。
【００４８】
一方、それぞれの屈曲溝６２に圧入固定された負荷側及び電源側接点バネ６３，６４の先端側基端部は、該屈曲溝６２から延出しその延出部分が可撓な自由端となっている。可撓な延出部分には、負荷側接点６３ａと電源側接点６４ａが相対向するように配置固着されている。従って、負荷側及び電源側接点バネ６３，６４の自由端が撓んで負荷側接点６３ａと電源側接点６４ａが接触したとき、負荷側接点バネ６３と電源側接点バネ６４とが電気的に接続（閉極）される。
【００４９】
負荷側接点バネ６３の可撓な延出部分の先端であって幅広方向のケース３の内底面ｆ３寄りの半分には、図１１に示すように、第１係合部６３ｂが延出形成されている。一方、電源側接点バネ６４の可撓な延出部分の先端であって幅広方向の裏蓋５寄りの半分には、図１１に示すように、第２係合部６４ｂが延出形成されている。そして、第１係合部６３ｂと第２係合部６４ｂは、図１１に示すように、両接点バネ６３，６４の面方向から見ると互いに重ならないように形成されている。
【００５０】
負荷側接点バネ６３の第１係合部６３ｂと電源側接点バネ６４の第２係合部６４ｂは、それぞれスイッチ機構部７１にて作動される。これによって、負荷側及び電源側接点バネ６３，６４が適宜に撓むことで、負荷側接点６３ａと電源側接点６４ａが互いに離間（開極）する位置と互いに接触（閉極）する位置に配置されるようになっている。
【００５１】
（スイッチ機構部７１）
図６に示すように、ケース３の内底面ｆ３であって収納空間Ｓ１に隣接した位置には、第２区画壁Ｗ２にて収容空間Ｓ２が区画形成されている。また、図７に示すように、第２区画壁Ｗ２にて区画形成された収容空間Ｓ２は、支持板７０にて閉塞されるようになっている。そして、図６に示すように、支持板７０にて閉塞された収容空間Ｓ２内には、スイッチ機構部７１が配置され組み付けられる。
【００５２】
図６に示すように、スイッチ機構部７１はカム軸７２を有し、そのカム軸７２は支持板７０とケース３の内底面ｆ３の間において回転自在に支持されている。
（第１及び第２検出カム７３，７４）
図３に示すように、カム軸７２には、ダイヤル収容凹部１２の内周面に貫通形成した窓孔１２ａから該ダイヤル収容凹部１２内に進入する４個の第１検出カム７３が固着されている。カム軸７２に固着された４個の第１検出カム７３は、それぞれ周方向に一定の間隔（９０度）で径方向に向かって突出形成され、４個の第１検出カム７３のうち１つがダイヤル収容凹部１２内に進入する。
【００５３】
ダイヤル収容凹部１２内に進入した１つの第１検出カム７３は、ダイヤルＤの回動にともなって連れ回り（周回）するオン用設定子３０に形成したオン用作動爪３９の周回軌道上に配置される。これによって、オン用設定子３０のオン用作動爪３９が周回してダイヤル収容凹部１２内に進入している第１検出カム７３と当接すると、該第１検出カム７３（カム軸７２）はオン用作動爪３９にて回動する。
【００５４】
また、図３に示すように、カム軸７２には、第１検出カム７３に並設して、ダイヤル収容凹部１２の内周面に貫通形成した窓孔１２ａから該ダイヤル収容凹部１２内に進入する４個の第２検出カム７４が固着されている。カム軸７２に固着された４個の第２検出カム７４は、それぞれ周方向に一定の間隔（９０度）で径方向に向かって突出形成され、４個の第２検出カム７４のうち１つがダイヤル収容凹部１２内に進入する。
【００５５】
ダイヤル収容凹部１２内に進入した１つの第２検出カム７４は、ダイヤルＤの回動にともなって連れ回り（周回）するオフ用設定子４０に形成したオフ用作動爪４９の周回軌道上に配置される。これによって、オフ用設定子４０のオフ用作動爪４９が周回してダイヤル収容凹部１２内に進入している第２検出カム７４と当接すると、該第２検出カム７４（カム軸７２）はオフ用作動爪４９にて回動する。
【００５６】
ここで、４個の第１検出カム７３と４個の第２検出カム７４とは、カム軸７２の軸線方向から見て約４５度の間隔で交互に配置されている。
そして、例えば、第１検出カム７３がオン用作動爪３９にて回動すると、同第１検出カム７３は窓孔１２ａから径方向外側に退出し、軸線方向から見て周方向に隣接する第２検出カム７４が窓孔１２ａから該ダイヤル収容凹部１２内に進入する。やがて、第２検出カム７４がオフ用作動爪４９にて回動すると、同第２検出カム７４は窓孔１２ａから径方向外側に退出し、軸線方向から見て周方向に隣接する新たな第１検出カム７３が窓孔１２ａから該ダイヤル収容凹部１２内に進入する。以後、これを繰り返してカム軸７２は、オン用作動爪３９及びオフ用作動爪４９が、対応する第１及び第２検出カムに対して交互に当接するたびに４５度ずつ回動する。
【００５７】
換言すると、オン用及びオフ用設定子３０，４０が示したダイヤル本体Ｄａの時刻目盛りが、それぞれ時刻指標板１３の現在時刻指標１３ａと合わさる時にカム軸７２は回動する。
【００５８】
（第１及び第２スイッチカム７５，７６）
さらに、図６に示すように、カム軸７２には、それぞれ周方向に一定の間隔（９０度）で径方向に向かって突出形成された４個の第１スイッチカム７５が固着されている。これら第１スイッチカム７５はカム軸７２を中心に回動する。つまり、第１スイッチカム７５は、カム軸７２が回動するとき回動する。第１スイッチカム７５は、カム軸７２を中心に回動するとき負荷側接点バネ６３の第１係合部６３ｂと当接して該負荷側接点バネ６３を撓ませるようになっている。
【００５９】
さらにまた、図６に示すように、カム軸７２には、第１スイッチカム７５に並設してそれぞれ周方向に一定の間隔（９０度）で径方向に向かって突出形成された４個の第２スイッチカム７６が固着されている。これら第２スイッチカム７６はカム軸７２を中心に回動する。つまり、第２スイッチカム７６は、カム軸７２が回動するとき回動する。第２スイッチカム７６は、カム軸７２を中心に回動するとき電源側接点バネ６４の第２係合部６４ｂと当接して該電源側接点バネ６４を撓ませるようになっている。
【００６０】
従って、カム軸７２は、第１及び第２検出カム７３，７４がオン用及びオフ用作動爪３９，４９にそれぞれ当接する位置に配置されるように、ケース３の内底面ｆ３と支持板７０との間に回動可能に支持されている。しかも、カム軸７２は、第１及び第２スイッチカム７５，７６が第１及び第２係合部６３ｂ，６４ｂにそれぞれ当接する位置に配置されるように、ケース３の内底面ｆ３と支持板７０との間に回動可能に支持されている。
【００６１】
ここで、４個の第１スイッチカム７５と４個の第２スイッチカム７６とは、カム軸７２の軸線方向から見て約４５度の間隔で交互に配置されている。
また、第１及び第２スイッチカム７５，７６の相対配置位置は、第１及び第２検出カム７３，７４の回動によって、該第１及び第２スイッチカム７５，７６にて負荷側接点６３ａと電源側接点６４ａが接離するように相対配置されている。
【００６２】
つまり、第１検出カム７３にてカム軸７２が４５度回動するとき、負荷側及び電源側接点バネ６３，６４の固着されている負荷側接点６３ａと電源側接点６４ａを接触させる。また、第２検出カム７４にてカム軸７２が４５度回動するとき、負荷側及び電源側接点バネ６３，６４の固着されている負荷側接点６３ａと電源側接点６４ａを離間させる。
【００６３】
詳述すると、負荷側及び電源側接点バネ６３，６４の固着されている負荷側接点６３ａと電源側接点６４ａが離間（開極）している。このとき、負荷側接点バネ６３は、その第１係合部６３ｂが第１スイッチカム７５と係合して電源側接点バネ６４から離間する方向に撓められている。一方、電源側接点バネ６４は、該電源側接点バネ６４が撓められない状態で、その第２係合部６４ｂが第２スイッチカム７６に当接している状態にある。
【００６４】
この負荷側接点６３ａと電源側接点６４ａが離間（開極）したときには、第１検出カム７３は、窓孔１２ａからダイヤル収容凹部１２内に進入している。一方、第２検出カム７４は、ダイヤル収容凹部１２の外に後退している。
【００６５】
そして、給電開始時刻となって、オン用設定子３０のオン用作動爪３９によって第１検出カム７３が回動、即ち、カム軸７２が後方からみて時計回り方向に回動されると、第１及び第２スイッチカム７５，７６も回動する。これにともなって、負荷側接点バネ６３は、その第１係合部６３ｂが第１スイッチカム７５の当接から外れて撓んだ状態から元の状態に復帰する。一方、電源側接点バネ６４は、その第２係合部６４ｂが第２スイッチカム７６で押されて負荷側接点バネ６３側に撓む。これによって、負荷側及び電源側接点バネ６３，６４に固着した負荷側接点６３ａと電源側接点６４ａが接触する。
【００６６】
この負荷側接点６３ａと電源側接点６４ａが接触（閉極）したときには、第１検出カム７３に替わって第２検出カム７４が、窓孔１２ａからダイヤル収容凹部１２内に進入している。
【００６７】
続いて、給電停止時刻となって、オフ用設定子４０のオフ用作動爪４９によって第２検出カムが回動、即ち、カム軸７２が後方からみて時計回り方向に回動されると、第１及び第２スイッチカム７５，７６も回動する。これにともなって、電源側接点バネ６４は、その第２係合部６４ｂが今まで当接していた第２スイッチカム７６の隣りにある第２スイッチカム７６に当接する。一方、負荷側接点バネ６３は、その第１係合部６３ｂが第１スイッチカム７５で押されて電源側接点バネ６４から離間する方向に撓められる。これによって、負荷側及び電源側接点バネ６３，６４に固着した負荷側接点６３ａと電源側接点６４ａが離間する。
【００６８】
次に、上記のように構成したタイムスイッチ１の組み立て方法について説明する。
図１０及び図１１は、ケース３の内側に組み付けるモジュール８０を示す。モジュール８０は、予め別の場所で製作される。
【００６９】
モジュール８０は、端子ブロックＢと４個の端子金具５３を有している。そして、端子ブロックＢに対して４個の端子金具５３を連結ネジＮ３にて長手方向に順番に締着する。これによって、図１０において、右側から４個の端子金具５３が第１電源側接続端子５３ａ、第２電源側接続端子５３ｂ、第２負荷側接続端子５３ｃ、第１負荷側接続端子５３ｄとなって締着自在に取着された端子ブロックＢが製作される。
【００７０】
また、モジュール８０は、負荷側接点６３ａを有した負荷側接点バネ６３と電源側接点６４ａを有した電源側接点バネ６４を有している。負荷側接点バネ６３は、負荷側リード線６５を介して端子ブロックＢに取着した第１負荷側接続端子５３ｄと電気的に接続されている。つまり、負荷側リード線６５は、その両端が負荷側接点バネ６３及び第１負荷側接続端子５３ｄにそれぞれ半田にて連結されている。一方、電源側接点バネ６４は、電源側リード線６６を介して端子ブロックＢに取着した第１電源側接続端子５３ａと電気的に接続されている。つまり、電源側リード線６６は、その両端がそれぞれ電源側接点バネ６４及び第１電源側接続端子５３ａと半田にて連結されている。
【００７１】
また、第２電源側接続端子５３ｂの先端部と第２負荷側接続端子５３ｃの先端部の間を、短絡導線６７を介して電気的に接続されている。つまり、短絡導線６７は、その両端が第２電源側接続端子５３ｂと第２負荷側接続端子５３ｃにそれぞれ半田にて連結されている。
【００７２】
さらに、モジュール８０は、モータＭを実装した地板２３と駆動回路を実装した回路基板５６を有している。駆動回路を実装した回路基板５６に形成した出力端子と地板２３に実装したモータＭの他方の入力端子Ｐ２の間を、抵抗素子５７を介して電気的に接続されている。つまり、抵抗素子５７は、その両端が回路基板５６に形成した出力端子とモータＭの入力端子Ｐ２にそれぞれ半田にて連結されている。
【００７３】
そして、回路基板５６は、該回路基板５６に形成した駆動回路の入力端子は、第２電源側接続端子５３ｂの先端部と半田にて直接連結され電気的に接続されている。また、地板２３に実装したモータＭの一方の入力端子Ｐ１は、端子ブロックＢに取着した第１電源側接続端子５３ａと導線５５を介して連結されている。つまり、導線５５は、その両端が第１電源側接続端子５３ａとモータＭの一方の入力端子Ｐ１にそれぞれ半田にて連結されている。
【００７４】
このようにして、端子金具５３を取着した端子ブロックＢ、負荷側及び電源側接点バネ６３，６４、モータＭを実装した地板２３、駆動回路を実装した回路基板５６が、一体的に連結されて構成されたモジュール８０が製作される。
【００７５】
そして、モジュール８０が製作された状態において、ケース３のダイヤル収容凹部１２にダイヤルＤを組み付ける。また、ケース３の内側に形成した収容空間Ｓ２に、カム軸７２、第１及び第２検出カム７３，７４、第１及び第２スイッチカム７５，７６等のスイッチ機構部７１を組み付ける。また、ケース３の内側に形成した収納空間Ｓ１に、タイマ機構部２０を構成する歯車機構２１を組み付ける。
【００７６】
そして、収納空間Ｓ１及び収容空間Ｓ２にそれぞれ歯車機構２１及びスイッチ機構部７１が組み付けられると、モジュール８０をケース３内に組み付ける。
つまり、モジュール８０を構成する端子ブロックＢについて、該端子ブロックＢをケース３の内側から第１〜第４凹部６ａ〜６ｄの開口部を閉塞するようにケース３に組み付ける。詳述すると、端子ブロックＢに形成した貫通孔５１に第３仕切壁７ｃの後面（裏蓋５側の面）に突出形成した支持体５２（図５参照）を貫挿させる。そして、端子ブロックＢの左右両側をネジＮ２にてケース３に対して固定することによって、端子ブロックＢは、ケース３に対して組み付けられる。
【００７７】
また、モジュール８０を構成する負荷側及び電源側接点バネ６３，６４について、該両接点バネ６３，６４を図６に示すように、ケース３の内底面ｆ３から突出形成した板バネ挟持体６１の左右対称のクランク状の屈曲溝６２に圧入固定する。詳述すると、負荷側及び電源側リード線６５，６６を図１１に示す矢印方向にそれぞれ屈曲させて、負荷側及び電源側接点バネ６３，６４を左右対称の屈曲溝６２に圧入する。このとき、負荷側及び電源側接点バネ６３，６４の第１及び第２係合部６３ｂ，６４ｂが、スイッチ機構部７１の第１及び第２スイッチカム７５，７６と係合可能な位置に配置される。そして、負荷側及び電源側接点バネ６３，６４を屈曲溝６２に圧入させると、スイッチ機構部７１を収容した収容空間Ｓ２を支持板７０にて閉塞する。そして、支持板７０をネジＮ４にてケース３に対して固定することによって、負荷側及び電源側接点バネ６３，６４は、ケース３に対して組み付けられる。
【００７８】
さらに、モジュール８０を構成するモータＭを実装した地板２３について、該地板２３にて歯車機構２１を収納した収納空間Ｓ１を閉塞する。そして、地板２３をネジＮ５にてケース３に対して固定することによって、モータＭを実装した地板２３がケース３に対して組み付けられる。この時、併せて駆動回路を実装した回路基板５６もケース３に対して組み付けられる。
【００７９】
そして、モジュール８０がケース３の内側に組み付けられた後、裏蓋５を組み付ければタイムスイッチ１が完成する。
なお、モジュール８０をケース３に組み付ける際、該モジュール８０を構成する端子ブロックＢ、負荷側及び電源側接点バネ６３，６４、または、地板２３の組み付けて行く順番は、特に限定されるものではない。
【００８０】
次に、上記のように構成したタイムスイッチ１の作用について説明する。
今、ダイヤルＤは、歯車機構２１を介してモータＭの回転力にて回転し、該歯車機構２１にて２４時間で１回転するように回転駆動している。
【００８１】
そして、オン用設定子３０は、負荷（電気機器）に商用電源を供給する給電開始時刻に相当するダイヤル本体Ｄａの時刻目盛りにその指示片３１の先端三角形状の先端が位置するように、取付環状体Ｄｂの取付溝１５に装着されている。また、オフ用設定子４０は、負荷（電気機器）への商用電源の供給停止をする給電停止時刻に相当するダイヤル本体Ｄａの時刻目盛りにその指示片４１の先端三角形状の先端が位置するように、取付環状体Ｄｂの取付溝１５に装着されている。
【００８２】
従って、ダイヤルＤとともに連れ回り（周回）するオン用設定子３０が指し示したダイヤル本体Ｄａの時刻目盛り（給電開始時刻）と時刻指標板１３の現在時刻指標１３ａとが合わさった時、負荷に対して給電を開始する。
【００８３】
つまり、給電開始時刻となると、オン用設定子３０のオン用作動爪３９によって第１検出カム７３が回動して、第１及び第２スイッチカム７５，７６も回動する。これよって、負荷側接点バネ６３は、その第１係合部６３ｂが第１スイッチカム７５の当接から外れて撓んだ状態から元の状態に復帰する。一方、電源側接点バネ６４は、その第２係合部６４ｂが第２スイッチカム７６で押されて負荷側接点バネ６３側に撓む。
【００８４】
その結果、負荷側及び電源側接点バネ６３，６４に固着した負荷側接点６３ａと電源側接点６４ａが接触する。これによって、負荷への給電が開始される。
このとき、第１検出カム７３に替わって第２検出カム７４が、窓孔１２ａからダイヤル収容凹部１２内に進入している。従って、オフ用設定子４０にて設定した給電停止時刻が時刻指標板１３の現在時刻指標１３ａと合わさるまで負荷への給電が続行される。
【００８５】
やがて、ダイヤルＤとともに連れ回り（周回）するオフ用設定子４０が指し示したダイヤル本体Ｄａの時刻目盛り（給電停止時刻）と時刻指標板１３の現在時刻指標１３ａとが合わさると、負荷への給電を停止する。
【００８６】
つまり、給電停止時刻となると、オフ用設定子４０のオフ用作動爪４９によって第２検出カムが回動して、第１及び第２スイッチカム７５，７６も回動する。これによって、電源側接点バネ６４は、その第２係合部６４ｂが今まで当接していた第２スイッチカム７６の隣りにある第２スイッチカム７６に当接する。一方、負荷側接点バネ６３は、その第１係合部６３ｂが第１スイッチカム７５で押されて電源側接点バネ６４から離間する方向に撓められる。
【００８７】
その結果、負荷側及び電源側接点バネ６３，６４に固着した負荷側接点６３ａと電源側接点６４ａが離間する。これによって、負荷への給電が遮断される。
このとき、第２検出カム７４に替わって第１検出カム７３が、窓孔１２ａからダイヤル収容凹部１２内に進入している。従って、オン用設定子３０にて設定した給電開始時刻が時刻指標板１３の現在時刻指標１３ａと合わさるまで負荷への給電が遮断される。
【００８８】
そして、以後、オン用及びオフ用設定子３０，４０を設定変更しない限り、タイムスイッチ１は、毎日同様な動作を繰り返す。
ここで、本実施形態のタイムスイッチ１は、端子金具５３を取着した端子ブロックＢ、負荷側及び電源側接点バネ６３，６４、モータＭを実装した地板２３、駆動回路を実装した回路基板５６を、一体的に連結構成してモジュール８０にした。
【００８９】
そして、そのモジュール８０を、タイマ機構部２０及びスイッチ機構部７１が組み付けられたケース３に組み付ける。これによって、端子金具５３を取着した端子ブロックＢ、負荷側及び電源側接点バネ６３，６４、モータＭを実装した地板２３、及び、駆動回路を実装した回路基板５６が一度に組み込まれタイムスイッチ１は完成することとなる。
【００９０】
つまり、予め別の場所でモジュール８０を製作しておき、その別の場所で製作したモジュール８０をケース３内に組み付けるだけで簡単にタイムスイッチ１を完成させることができる。
【００９１】
しかも、別の場所でモジュール８０を製作する段階で、導線５５，抵抗素子５７、負荷側及び電源側リード線６５，６６、短絡導線６７等の半田付け作業が行われる。そのため、ケース３内での面倒な半田付け作業はなくなり、しかも、ケース３内に半田クズが残る虞はない。
【００９２】
次に、上記のように構成した実施形態の効果を以下に記載する。
（１）上記実施形態によれば、端子金具５３を取着した端子ブロックＢ、負荷側及び電源側接点バネ６３，６４、モータＭを実装した地板２３、駆動回路を実装した回路基板５６を、一体的に連結構成してモジュール８０にした。
【００９３】
そして、そのモジュール８０をケース３に組み付ける作業だけで、端子金具５３を取着した端子ブロックＢ、負荷側及び電源側接点バネ６３，６４、モータＭを実装した地板２３、駆動回路を実装した回路基板５６を一括して組み付けられるようにした。
【００９４】
従って、組立を簡素化でき、各部品を組み付ける際に発生するゴミ、ホコリ等の異物が器体内に残る虞を低減させることができる。
（２）上記実施形態によれば、モジュール８０は予め別の場所で単独に製作することができる。従って、その別の場所で単独で製作したモジュール８０をケース３に組み付けるだけなので、組立部品の品種管理を容易にすることができる。
【００９５】
（３）上記実施形態によれば、モジュール８０を製作する段階で、導線５５，抵抗素子５７、負荷側及び電源側リード線６５，６６、短絡導線６７等の半田付け作業が行われるようにした。その結果、ケース３内での面倒な半田付け作業はなくなる。しかも、半田付け作業によるケース３内に半田クズが残ることはない。
【００９６】
尚、上記実施形態は以下のように変更してもよい。
○上記実施形態では、モータＭを実装した地板２３、駆動回路を実装した回路基板５６をモジュール８０の構成要素としたが、これら地板２３または回路基板５６のいずれか１つまたは両方を省略して、実施してもよい。
【００９７】
○上記実施形態では、モータＭは交流モータで実施したが、クォーツモータで実施してもよい。なお、モータＭがクォーツモータである場合には、駆動回路を実装した回路基板５６に、駆動回路に電源を供給する電池を併せて実装して実施してもよい。
【符号の説明】
【００９８】
１…タイムスイッチ、２…器体、３…ケース、４…後側開口部、５…裏蓋、６ａ〜６ｄ…第１〜第４凹部、７ａ〜７ｃ…第１〜第３仕切壁、９…前蓋、１０…配線挿入口、１１…保護カバー、１２…ダイヤル収容凹部、１２ａ…窓孔、１３…時刻指標板、１３ａ…現在時刻指標、１４…支持部材、１５…取付溝、１５ａ…内側溝部、１５ｂ…外側溝部、２０…タイマ機構部、２１…歯車機構、２３…地板、３０…オン用設定子、３１…指示片、３２…内側脚片、３３…外側脚片、３４…摘み部、３５…マーク、３６…内側突条、３７…外側突条、３８…抜け止め突起、３９…オン用作動爪、４０…オフ用設定子、４１…指示片、４２…内側脚片、４３…外側脚片、４４…摘み部、４５…マーク、４６…内側突条、４７…外側突条、４８…抜け止め突起、４９…オフ用作動爪、５１…貫通孔、５２…支持体、５３…端子金具、５３ａ，５３ｂ…第１及び第２電源側接続端子、５３ｃ…第２負荷側接続端子、５３ｄ…第１負荷側接続端子、５５…導線、５６…回路基板、５７…抵抗素子、６１…板バネ挟持体、６２…屈曲溝、６３，６４…負荷側及び電源側接点バネ（開閉手段）、６３ａ，６４ａ…負荷側及び電源側接点、６３ｂ，６４ｂ…第１及び第２係合部、６５，６６…負荷側及び電源側リード線（給電路、導電体）、６７…短絡導線、７０…支持板、７１…スイッチ機構部、７２…カム軸、７３，７４…第１及び第２検出カム、７５，７６…第１及び第２スイッチカム、８０…モジュール、ｆ１…前面、ｆ２…下面、ｆ３…内底面、Ｗ１，Ｗ２…第１及び区画壁、Ｓ１…収納空間、Ｓ２…収容空間、Ｄ…ダイヤル、Ｄａ…ダイヤル本体、Ｄｂ…取付環状体、Ｂ…端子ブロック、Ｐ１，Ｐ２…入力端子、Ｍ…モータ、Ｎ１…取付ネジ、Ｎ２，Ｎ４，Ｎ５…ネジ、Ｎ３…連結ネジ。
【図１】
0006425068.tif 000002
【図２】
0006425068.tif 000003
【図３】
0006425068.tif 000004
【図４】
0006425068.tif 000005
【図５】
0006425068.tif 000006
【図６】
0006425068.tif 000007
【図７】
0006425068.tif 000008
【図８】
0006425068.tif 000009
【図９】
0006425068.tif 000010
【図１０】
0006425068.tif 000011
【図１１】
0006425068.tif 000012